【手続補正書】
【提出日】平成18年3月17日(2006.3.17)
【手続補正１】
【補正対象書類名】明細書
【補正対象項目名】特許請求の範囲
【補正方法】変更
【補正の内容】
【特許請求の範囲】
【請求項１】
情報送信装置から所定のコンテンツデータを情報受信装置に送信する情報送信システムにおいて、
上記情報送信装置は、
上記情報受信装置固有の配送鍵で暗号化した、上記情報送信装置を識別するための識別情報を保持する識別情報保持手段と、
上記配送鍵で暗号化した上記識別情報と比較するために上記コンテンツデータに上記識別情報を付加する識別情報付加手段と、
上記識別情報を付加した上記コンテンツデータと共に、上記配送鍵で暗号化された上記識別情報を送信する送信手段とを具え、
上記情報受信装置は、
上記配送鍵を保持する配送鍵保持手段と、
上記識別情報が付加された上記コンテンツデータ及び上記配送鍵で暗号化された上記識別情報を受信する受信手段と、
上記配送鍵で暗号化された上記識別情報を当該配送鍵で復号化する復号化手段と、
上記コンテンツデータに付加された上記識別情報と、上記復号された上記識別情報とを比較する比較手段とを具える
ことを特徴とする情報送信システム。
【請求項２】
情報受信装置に所定のコンテンツデータを送信する情報送信装置において、
上記情報受信装置固有の所定の配送鍵で暗号化した、上記情報送信装置を識別するための識別情報を保持する識別情報保持手段と、
上記配送鍵で暗号化された上記識別情報と比較するために上記コンテンツデータに上記識別情報を付加する識別情報付加手段と、
上記識別情報を付加した上記コンテンツデータと共に、上記配送鍵で暗号化された上記識別情報を送信する送信手段と
を具えることを特徴とする情報送信装置。
【請求項３】
上記コンテンツデータに対する使用条件を規定し、上記識別情報を格納したコンテンツ取扱方針を生成する取扱方針生成手段を具え、
上記識別情報付加手段は、上記コンテンツデータに上記コンテンツ取扱方針を付加する
ことを特徴とする請求項２に記載の情報送信装置。
【請求項４】
上記コンテンツデータを所定のコンテンツ鍵で暗号化するコンテンツデータ暗号化手段と、
上記コンテンツ鍵を所定の個別鍵で暗号化するコンテンツ鍵暗号化手段と、
上記個別鍵で暗号化した上記コンテンツ鍵及び上記配送鍵で暗号化した上記識別情報に、上記情報受信装置において、不正データ及び改竄をチェックするために検証する署名データを付加する署名付加手段と
を具えることを特徴とする請求項２に記載の情報送信装置。
【請求項５】
情報送信装置から送信された所定のコンテンツデータを受信する情報受信装置において、
上記情報受信装置固有の所定の配送鍵を保持する配送鍵保持手段と、
上記情報送信装置から送信された、上記情報送信装置を識別するための識別情報が付加された上記コンテンツデータと、上記配送鍵で暗号化された上記識別情報とを受信する受信手段と、
上記配送鍵で暗号化された上記識別情報を当該配送鍵で復号化する復号化手段と、
上記コンテンツデータに付加された上記識別情報と、上記復号された上記識別情報とを比較する比較手段と
を具えることを特徴とする情報受信装置。
【請求項６】
上記コンテンツデータに対する購入処理を実行する購入処理手段を具え、
上記比較手段は、上記情報送信装置から上記コンテンツデータに対する使用条件を規定し、上記識別情報を格納したコンテンツ取扱方針が上記コンテンツデータに付加されて送信されることにより、当該コンテンツ取扱方針に格納された上記識別情報と、復号化された上記識別情報とを比較し、
上記購入処理手段は、上記比較手段において比較した上記識別情報同士が一致したときに、上記コンテンツ取扱方針を用いて上記コンテンツデータの上記購入処理を実行する
ことを特徴とする請求項５に記載の情報受信装置。
【請求項７】
上記情報送信装置から、上記コンテンツデータを所定のコンテンツ鍵で暗号化すると共に、当該コンテンツ鍵を所定の個別鍵で暗号化し、当該個別鍵で暗号化した上記コンテンツ鍵及び上記配送鍵で暗号化した上記識別情報に、署名データが付加されて送信されることにより、当該署名データを検証して上記個別鍵で暗号化した上記コンテンツ鍵及び上記配送鍵で暗号化した上記識別情報が不正データ及び改竄されたデータであるか否かを検出する署名検証手段
を具えることを特徴とする請求項５に記載の情報受信装置。
【請求項８】
情報送信装置から所定のコンテンツデータを情報受信装置に送信する情報送信システムにおいて、
上記情報送信装置は、
上記コンテンツデータと共に、当該コンテンツデータに対して、予め規定した再送信可能な最大回数データを送信する送信手段を具え、
上記情報受信装置は、
上記コンテンツデータと共に、上記最大回数データを受信する受信手段と、
上記最大回数データに基づいて、上記コンテンツデータの再送信可能な残り回数データを生成する回数データ生成手段と、
上記コンテンツデータと共に、上記残り回数データを送信する再送信手段とを具える
ことを特徴とする情報送信システム。
【請求項９】
所定のコンテンツデータを情報受信装置に送信する情報送信装置において、
上記コンテンツデータと共に、当該コンテンツデータに対して、予め規定した再送信可能な最大回数データを上記情報受信装置に送信する送信手段
を具えることを特徴とする情報送信装置。
【請求項１０】
情報送信装置から送信される所定のコンテンツデータを受信する情報受信装置において、
上記情報送信装置から送信された、上記コンテンツデータと、当該コンテンツデータに対して予め規定した再送信可能な最大回数データとを受信する受信手段と、
上記最大回数データに基づいて、上記コンテンツデータの再送信可能な残り回数データを生成する回数データ生成手段と、
上記コンテンツデータと共に、上記残り回数データを送信する再送信手段と
を具えることを特徴とする情報受信装置。
【請求項１１】
上記回数データ生成手段は、上記コンテンツデータの供給元に基づいて、当該コンテンツデータが経由した装置を示す経由装置データを生成し、
上記再送信手段は、上記コンテンツデータ及び上記残り回数データと共に、上記経由装置データを送信する
ことを特徴とする請求項１０に記載の情報受信装置。
【請求項１２】
情報送信装置から所定のコンテンツデータを情報受信装置に送信する情報送信方法において、
上記情報送信装置により、上記コンテンツデータに当該情報送信装置を識別するための識別情報を付加する識別情報付加ステップと、
上記情報送信装置により、上記識別情報を付加したコンテンツデータと、上記情報受信装置固有の配送鍵で暗号化した、上記情報送信装置を識別するための識別情報とを送信する送信ステップと、
上記情報受信装置により、上記識別情報が付加された上記コンテンツデータ及び上記配送鍵で暗号化された上記識別情報を受信する受信ステップと、
上記情報受信装置により、上記配送鍵で暗号化された上記識別情報を当該配送鍵で復号化する復号化ステップと、
上記情報受信装置により、上記コンテンツデータに付加された上記識別情報と、上記復号された上記識別情報とを比較する比較ステップと
を具えることを特徴とする情報送信方法。
【請求項１３】
情報送信装置から所定のコンテンツデータを情報受信装置に送信する情報送信方法において、
上記情報送信装置により、上記コンテンツデータと共に、当該コンテンツデータに対して、予め規定した再送信可能な最大回数データを送信する送信ステップと、
上記情報受信装置により、上記コンテンツデータと共に、上記最大回数データを受信する受信ステップと、
上記情報受信装置により、上記最大回数データに基づいて、上記コンテンツデータの再送信可能な残り回数データを生成する回数データ生成ステップと、
上記情報受信装置により、上記コンテンツデータと共に、上記残り回数データを送信する再送信ステップと
を具えることを特徴とする情報送信方法。